(57)【要約】【課題】ディスプレイにおいて画面表示の向きを切り換え可能とし、異なった縦横比でマルチメディアを鑑賞できるようにする。【解決手段】本発明による移動端末機は、マルチメディアに係る画面を表示可能な２以上のディスプレイと、そのディスプレイの回転を感知するセンサと、該センサにより感知される回転に応じてディスプレイにおける画面表示方向を可変制御する制御部と、を含んで構成されることを特徴とする。【選択図】図９
2007109240.tif 000002
【特許請求の範囲】
【請求項１】
マルチメディアデータを記憶するメモリと、
相対的に動かすことのできるようにされた少なくとも第１及び第２のディスプレイと、
前記第１のディスプレイにマルチメディアの再生画面を表示すると共に前記第２のディスプレイに当該マルチメディアの制御画面を表示し、そして、前記第１及び第２のディスプレイのいずれか又は両方に当該マルチメディアの付随情報を表示するように制御を実行し、また、前記第１及び第２のディスプレイにおける表示画面の向きを端末機姿勢に応じて制御する制御部と、
を含んで構成されることを特徴とする移動通信端末機。
【請求項２】
端末機外から入力されて前記メモリに記憶されているマルチメディアの少なくとも１つを再生処理する処理部をさらに含むことを特徴とする請求項１に記載の移動通信端末機。
【請求項３】
前記制御部及び前記処理部が一つのハードウェアとして構成されていることを特徴とする請求項２に記載の移動通信端末機。
【請求項４】
前記制御部は、前記制御画面を介しての入力が所定の時間無い場合、該制御画面の表示を中止すると共に前記再生画面を前記第１及び第２のディスプレイの両方に拡張表示するように制御することを特徴とする請求項１〜３のいずれか１項に記載の移動通信端末機。
【請求項５】
外部制御装置を接続可能であり、当該外部制御装置が接続されると、該外部制御装置を通じたユーザ操作に従って前記制御部が動作することを特徴とする請求項１〜４のいずれか１項に記載の移動通信端末機。
【請求項６】
前記外部制御装置及びこれに連動する前記制御部は、マルチメディア操作用表示の割り込み制御を最小限にすることを特徴とする請求項５に記載の移動通信端末機。
【請求項７】
前記外部制御装置は、
電源供給部と、
マルチメディアの再生に関する命令を入力するための端末機操作部と、
端末機インタフェース端子に接続して前記電源供給部による電源及び前記端末機操作部の信号を伝送するインタフェース部と、
を含んで構成されることを特徴とする請求項６に記載の移動通信端末機。
【請求項８】
前記マルチメディア操作用表示の割り込み制御は、
ユーザによる操作が所定の時間無い場合に、前記制御画面の表示を中止すると共に前記再生画面を前記第１及び第２のディスプレイの両方に拡張表示するものであることを特徴とする請求項６に記載の移動通信端末機。
【請求項９】
前記制御画面が、マルチメディア再生制御のためのグラフィカルユーザインタフェース（ＧＵＩ）であり、
前記制御部は、該制御画面の操作が所定の時間無い場合、前記第１及び第２のディスプレイにおいて前記再生画面及び前記付随情報の表示を継続することを特徴とする請求項５に記載の移動通信端末機。
【請求項１０】
前記制御部が、タッチホイール、タッチパッド、タッチスクリーン、ジョグダイヤル、ジョグシャトル、キーパッドのいずれか１以上による操作入力に応じても動作することを特徴とする請求項５に記載の移動通信端末機。
【請求項１１】
端末機姿勢の変化を検出するためのセンサをさらに含み、
前記制御部は、該センサに応じて、前記第１及び第２のディスプレイにおける表示画面の向きを制御することを特徴とする請求項１〜１０のいずれか１項に記載の移動通信端末機。
【請求項１２】
前記制御部は、ユーザによる所定の操作に応じて、前記第１及び第２のディスプレイにおける表示画面の向きを変更することを特徴とする請求項１〜１１のいずれか１項に記載の移動通信端末機。
【請求項１３】
前記制御部は、前記外部制御装置が接続されたときに、前記第１及び第２のディスプレイにおける表示画面の向きを変更することを特徴とする請求項７に記載の移動通信端末機。
【請求項１４】
それぞれがディスプレイを備えると共に相対的に開閉動作することができるようにされた第１及び第２の筐体を有し、該第１及び第２の筐体を開いた状態で前記両ディスプレイが露出し且つ閉じた状態で前記ディスプレイの一方又は両方が隠れるように構成された移動通信端末機において、
マルチメディアデータを記憶するメモリと、
前記ディスプレイの一方又は両方にマルチメディアの再生画面を表示すると共に前記ディスプレイの一方又は両方に該マルチメディアの付随情報を表示し、さらに、当該マルチメディアの操作用表示の割り込みを所定の方式で実行する制御部と、
を含んで構成されることを特徴とする移動通信端末機。
【請求項１５】
前記制御部は、前記マルチメディアの操作用表示を前記ディスプレイの少なくとも一方で一時的に実行するか、又は、前記両ディスプレイには表示せずに外部制御装置で実行させることを特徴とする請求項１４に記載の移動通信端末機。
【請求項１６】
前記外部制御装置は、ヒンジ接続された前記第１及び第２の筐体をほぼ１８０°に開いて据え置くことのできるクレードルであることを特徴とする請求項１５に記載の移動通信端末機。
【請求項１７】
前記第１及び第２の筐体の姿勢変化を感知するセンサをさらに含むことを特徴とする請求項１４〜１６のいずれか１項に記載の移動通信端末機。
【請求項１８】
ユーザによる画面表示切り換え操作用のボタンを、前記第１及び第２の筐体のいずれか又は両方に備えるか、あるいは、前記ディスプレイのいずれか又は両方におけるタッチスクリーンとして備えることを特徴とする請求項１４〜１６のいずれか１項に記載の移動通信端末機。
【請求項１９】
前記制御部は、前記センサに応じて、又は、前記ボタン操作に応じて、前記ディスプレイにおける表示画面の向きを制御することを特徴とする請求項１７又は請求項１８に記載の移動通信端末機。
【請求項２０】
前記制御部は、前記マルチメディアの操作用表示を、前記ディスプレイの一方において所定の時間だけ実行することを特徴とする請求項１４に記載の移動通信端末機。
【請求項２１】
前記制御部は、前記所定の時間内に、前記マルチメディアの操作用表示を介した入力があれば、当該マルチメディアの操作用表示を継続することを特徴とする請求項２０に記載の移動通信端末機。
【請求項２２】
少なくとも前記マルチメディアの操作用表示を行う前記一方のディスプレイが、タッチ入力可能となっていることを特徴とする請求項２０に記載の移動通信端末機。
【請求項２３】
前記クレードルは、
電源供給部と、
マルチメディアの再生に関する命令を入力するための端末機操作部と、
端末機インタフェース端子に接続して前記電源供給部による電源及び前記端末機操作部の信号を伝送するインタフェース部と、
を含むことを特徴とする請求項１６に記載の移動通信端末機。
【請求項２４】
前記制御部は、前記マルチメディアの操作用表示を前記ディスプレイの少なくとも一方で一時的に実行し、当該表示実行中に、前記クレードルを通した操作入力が所定の時間無ければ、前記両ディスプレイを利用して前記再生画面を拡張表示することを特徴とする請求項１６に記載の移動通信端末機。
【請求項２５】
第１及び第２のディスプレイの少なくとも一つにマルチメディアの再生画面を表示する過程と、
前記第１及び第２のディスプレイの少なくとも一つに当該マルチメディアの付随情報を表示する過程と、
当該マルチメディアの操作用表示の割り込みを所定の方式で実行し、前記第１及び第２のディスプレイの少なくとも一つに前記操作用表示を行う過程と、
これらの表示方式に複数のオプションを提供する過程と、
を実行することを特徴とする移動通信端末機のマルチメディア表示方法。
【請求項２６】
前記複数のオプションは、
前記第１のディスプレイに前記再生画面を表示すると共に前記第２のディスプレイに前記付随情報を表示するオプション、
前記第１及び第２のディスプレイのそれぞれに、前記再生画面を表示するか、又は、前記付随情報を表示するオプション、
前記第１及び第２のディスプレイの両方に前記再生画面を拡張表示するオプション、
イベント発生時に前記第１及び第２のディスプレイの少なくとも一つに当該イベントのインジケータを表示するオプション、
を含むことを特徴とする請求項２５に記載の移動通信端末機のマルチメディア表示方法。
【請求項２７】
前記第１のディスプレイに前記再生画面を表示すると共に前記第２のディスプレイに前記操作用表示を行うオプションをさらに含むことを特徴とする請求項２６に記載の移動通信端末機のマルチメディア表示方法。
【請求項２８】
前記第２のディスプレイに前記操作用表示を行った後、ユーザによる操作入力が所定の時間無い場合に、前記操作用表示を中止して、前記再生画面を前記第１及び第２のディスプレイに拡張表示することを特徴とする請求項２７に記載の移動通信端末機のマルチメディア表示方法。
【請求項２９】
前記操作用表示としてグラフィカルユーザインタフェース（ＧＵＩ）を表示し、該ＧＵＩを通した操作入力が所定時間無い場合、当該ＧＵＩを表示していたディスプレイに前記再生画面又は前記付随情報を表示するオプションをさらに含むことを特徴とする請求項２６に記載の移動通信端末機のマルチメディア表示方法。
【請求項３０】
接続された外部制御装置から電源供給を受けると共に当該外部制御装置からマルチメディアの操作命令を受け付け、該外部制御装置と連動して前記マルチメディアの操作用表示を所定の割り込み方式で実行し、前記第１及び第２のディスプレイの少なくとも一つに前記操作用表示を行う過程をさらに実行することを特徴とする請求項２５〜２９のいずれか１項に記載の移動通信端末機のマルチメディア表示方法。
【請求項３１】
端末機姿勢の変化を感知し、該姿勢変化に応じて、前記第１及び第２のディスプレイにおける表示画面の向きを制御する過程をさらに実行することを特徴とする請求項２５〜３０のいずれか１項に記載の移動通信端末機のマルチメディア表示方法。
【請求項３２】
ユーザによる所定の操作に応じて、前記第１及び第２のディスプレイにおける表示画面の向きを制御する過程をさらに実行することを特徴とする請求項２５〜３１のいずれか１項に記載の移動通信端末機のマルチメディア表示方法。
【請求項３３】
外部制御装置が接続されたときに、前記第１及び第２のディスプレイにおける表示画面の向きを変更する過程をさらに実行することを特徴とする請求項２５〜３１のいずれか１項に記載の移動通信端末機のマルチメディア表示方法。
【請求項３４】
前記イベントのインジケータを表示するオプションは、イベント発生時に前記第１及び第２のディスプレイの少なくとも一つに当該イベントのインジケータを一時的に表示することを特徴とする請求項２６に記載の移動通信端末機のマルチメディア表示方法。
【請求項３５】
前記イベントが、着信呼、電子メール、文字メッセージ、マルチメディアメッセージングサービス、プッシュツートークのいずれかであることを特徴とする請求項３４に記載の移動通信端末機のマルチメディア表示方法。
【請求項３６】
前記イベント発生時に、触覚、聴覚、視覚及びこれらの組み合わせのいずれかを加えてユーザに報知することを特徴とする請求項３４又は請求項３５に記載の移動通信端末機のマルチメディア表示方法。
【請求項３７】
イベント発生時に前記第１及び第２のディスプレイの少なくとも一つに当該イベントのインジケータを表示するオプションを実行する過程と、
該表示に応じて当該イベントの実行操作があった場合に、該イベントのタスク画面を前記第１及び第２のディスプレイの少なくとも一つに表示する過程と、
をさらに実行することを特徴とする請求項２６に記載の移動通信端末機のマルチメディア表示方法。
【請求項３８】
前記イベントのタスク画面を表示した後、ユーザによる操作入力が所定の時間無い場合、前記タスク画面の表示を中止して、前記再生画面を前記第１及び第２のディスプレイに拡張表示することを特徴とする請求項３７に記載の移動通信端末機のマルチメディア表示方法。
【請求項３９】
前記付随情報が、再生時間、マルチメディアのタイムスタンプ及びマルチメディアの作成元情報を含むことを特徴とする請求項２５〜３８のいずれか１項に記載の移動通信端末機のマルチメディア表示方法。
【請求項４０】
マルチメディアデータを記憶可能なメモリと、互いに開閉可能で且つ開いたときに同じ方向に露呈する第１及び第２のディスプレイと、を備えた移動通信端末機において、
マルチメディアの再生画面及び該マルチメディアの関連情報を前記第１及び第２のディスプレイに同時表示する制御、
マルチメディアの再生画面を前記第１及び第２のディスプレイの両方に表示する制御、
前記再生画面を表示中にイベントが発生すると、前記第１及び第２のディスプレイの少なくとも一つに、当該イベントのインジケータを表示する制御、
を実行する制御部を含んで構成されることを特徴とする移動通信端末機。
【請求項４１】
マルチメディアデータを記憶可能なメモリと、互いに開閉可能で且つ開いたときに同じ方向に露呈する第１及び第２のディスプレイと、を備えた移動通信端末機において、
マルチメディアに係る画面を前記第１及び第２のディスプレイに表示する過程と、
前記マルチメディアに係る画面を表示中にイベントが発生した場合、前記第１及び第２のディスプレイの少なくとも一つに当該イベントのインジケータを表示する過程と、
を実行する制御部を含んで構成されることを特徴とする移動通信端末機。
【請求項４２】
前記制御部は、前記マルチメディアに係る画面を、ポートレートビューとランドスケープビューとに切り換え表示する過程をさらに実行可能であることを特徴とする請求項４１に記載の移動通信端末機。
【請求項４３】
前記制御部は、前記イベントのインジケータを、前記第１のディスプレイ中に表示した後、前記第２のディスプレイへ移動するように表示することを特徴とする請求項４１に記載の移動通信端末機。
【請求項４４】
前記イベントが、着信呼、電子メール、文字メッセージ、マルチメディアメッセージングサービス、プッシュツートークのいずれかであることを特徴とする請求項４３に記載の移動通信端末機。
【請求項４５】
前記制御部は、前記イベントの発生を、触覚、聴覚、視覚及びこれらの組み合わせのいずれかを加えてユーザに報知することを特徴とする請求項４４に記載の移動通信端末機。
【請求項４６】
前記第１及び第２のディスプレイの少なくとも一つがタッチスクリーンの機能をもち、
該タッチスクリーン付きのディスプレイにおいて前記イベントのインジケータに対するタッチが感知されると、前記制御部は、当該イベントのタスク画面を前記第１及び第２のディスプレイの少なくとも一つに表示する過程を実行することを特徴とする請求項４１〜４５のいずれか１項に記載の移動通信端末機。
【請求項４７】
前記制御部は、前記タスク画面を表示した後、ユーザによる操作入力が所定の時間無い場合、前記タスク画面の表示を中止し、前記第１及び第２のディスプレイに前記マルチメディアに係る画面を拡張表示する過程を実行することを特徴とする請求項４６に記載の移動通信端末機。
【発明の詳細な説明】
【技術分野】
【０００１】
本発明は、複数のディスプレイを備え、ＭＰ３ファイル、静止画、動画などの画像ファイルを含んだマルチメディアのコンテンツを再生し得る移動通信（移動体通信）端末機及び該移動通信端末機用クレードル、並びにそのマルチメディアの表示方法に関する。
【背景技術】
【０００２】
近来、情報通信分野の目覚ましい発展によって、情報及び通信環境が急激に変化しているが、特に携帯電話などの移動通信端末機は、現代社会で必需品と思われる程多く使用されている。このような移動通信端末機の底辺拡大による需要者の要求により、移動通信端末機は、一般的な音声通話以外にも多様な機能をユーザに提供できるように発展している。すなわち最近では、ＭＰ３、各種画像ファイルなどのマルチメディアコンテンツを再生し得る移動通信端末機が市販されており、これによって端末機ユーザは、場所に関係なくマルチメディアに接することに慣れてきている。このような趨勢にのり、現在の移動通信端末機は、ゲーム及びＶＯＤ（Video On Demand）、テレビ放送、電子辞書、ＭＰ３プレイヤーなどの多様な付加機能を備えたものが多くなってきている。
【０００３】
これに加えてごく最近では、移動通信端末機で実行可能な機能を複数、同時に並行して実行できるようなユーザの要求も出てきている。特に、マルチメディアを利用するときに、そのような便利なユーザインタフェースが要求されている。
【発明の開示】
【発明が解決しようとする課題】
【０００４】
従来のマルチメディアを利用可能な移動通信端末機は、ユーザが端末機を横に持つか縦に持つかによってディスプレイの向きが変わるが、当該ディスプレイに表示されている画面も一緒に向きが変わってしまうのが一般的である。すなわち、従来の移動通信端末機は、ディスプレイに対し、該ディスプレイに表示する画面の向きを変えることができない。このことは、必要に応じて画面比率を変えたい場合、たとえば、縦長のメール画面を横長にして見たいといった場合に、端末機ユーザの欲求を充足させるに至らない。
【０００５】
また、現在の移動通信端末機においては、マルチタスク機能をサポートするために十分なユーザインタフェースが備えられているとは言えない状況である。例えば、折り畳み型デュアルディスプレイ端末機やスライド型端末機で、音楽再生中に文字メッセージ（ＳＭＳやＥメール）を受信した場合、従来は、ディスプレイの音楽再生画面が自動的に文字メッセージの受信画面に切り換わるようになっており、文字メッセージの受信には問題がなかったが、音楽再生が一時中断されるという改善点がある。
【０００６】
さらに加えて、一般的に、マルチメディア再生（特に画面表示）時の端末機はバッテリ消費が速く、端末機ユーザとしては、バッテリ切れを心配せずにより長期間マルチメディアのコンテンツを楽しめるようになることを望んでいる。
【０００７】
本発明は、以上のような技術背景に鑑みてなされたもので、多様な画面角度や画面比率でマルチメディアを利用することができるようにし、さらには、バッテリ消費を心配せずに便利にマルチメディアを利用し得るようにした、移動通信端末機、移動通信端末機用クレードル、そしてそのマルチメディア表示方法を提供する。
【課題を解決するための手段】
【０００８】
本発明においては、２以上のディスプレイを備えた移動通信端末機において、２以上の作業（タスク）の画面を同時に表示し得るようにすると共に、ディスプレイにおける画面表示方向を自由に切り換えられるようにして、マルチメディア再生作業の利便性を向上させる。さらには、メッセージ受信などのイベントが発生した場合、その時に実行中の作業に影響を与えずに済むようにし、イベント発生の通知及び当該イベントに対する作業を、実行中であった作業と並行して処理し得るようにするユーザインタフェースを提供する。
【０００９】
本発明による移動通信端末機は、マルチメディアを記憶可能なメモリと、マルチメディアに係る画面を表示可能な２以上のディスプレイと、そのディスプレイの回転を感知するセンサと、該センサにより感知される回転に応じてディスプレイにおける画面表示方向を可変制御する制御部と、を含んで構成されることを特徴とする。
【００１０】
また、２以上のディスプレイを備えた移動通信端末機が実行する本発明のマルチメディア表示方法は、各ディスプレイにおいてマルチメディアに係る画面（動画、静止画、衛星デジタル放送や地上デジタル放送のＤＭＢ、ＤＶＢ−Ｈ等の画像や付随情報等の関連情報）を表示する過程と、ディスプレイの回転を感知する過程と、該感知した回転に応じてディスプレイにおける画面の表示方向を可変制御する過程と、を実行することを特徴とする。
【００１１】
さらに、本発明によれば、移動通信端末機を載置するための据置台と、該据置台に載置された移動通信端末機に電源を供給するための外部電源供給端子と、据置台に載置された移動通信端末機を操作するための操作パネルと、据置台に載置された移動通信端末機のインタフェース端子に接続し、操作パネルによる操作信号を当該移動通信端末機へ伝達するためのインタフェース端子と、を含んで構成されることを特徴とした移動通信端末機用クレードルを提供する。
【００１２】
本発明に係る移動通信端末機は、マルチメディアデータを記憶するメモリと、相対的に動かすことのできるようにされた少なくとも第１及び第２のディスプレイと、前記第１のディスプレイにマルチメディアの再生画面を表示すると共に前記第２のディスプレイに当該マルチメディアの制御画面を表示し、そして、前記第１及び第２のディスプレイのいずれか又は両方に当該マルチメディアの付随情報を表示するように制御を実行し、また、前記第１及び第２のディスプレイにおける表示画面の向きを端末機姿勢に応じて制御する制御部と、を含んで構成されることを特徴とする。
【００１３】
この移動通信端末機は、端末機外から入力されて前記メモリに記憶されているマルチメディアの少なくとも１つを再生処理する処理部をさらに含むことができる。これら制御部及び処理部は一つのハードウェアとして構成することができる。
【００１４】
前記制御部は、前記制御画面を介しての入力が所定の時間無い場合、該制御画面の表示を中止すると共に前記再生画面を前記第１及び第２のディスプレイの両方に拡張表示するように制御することができる。
【００１５】
当移動通信端末機は、外部制御装置を接続可能であり、当該外部制御装置が接続されると、該外部制御装置を通じたユーザ操作に従って前記制御部が動作することができる。前記外部制御装置及びこれに連動する前記制御部は、マルチメディア操作用表示の割り込み制御を最小限にすることを特徴とする。当該外部制御装置は、電源供給部と、マルチメディアの再生に関する命令を入力するための端末機操作部と、端末機インタフェース端子に接続して前記電源供給部による電源及び前記端末機操作部の信号を伝送するインタフェース部と、を含んで構成したものとすることができる。また、前記マルチメディア操作用表示の割り込み制御は、ユーザによる操作が所定の時間無い場合に、前記制御画面の表示を中止すると共に前記再生画面を前記第１及び第２のディスプレイの両方に拡張表示するものであることを特徴とする。
【００１６】
前記制御画面は、マルチメディア再生制御のためのグラフィカルユーザインタフェース（ＧＵＩ）であり、前記制御部は、該制御画面の操作が所定の時間無い場合、前記第１及び第２のディスプレイにおいて前記再生画面及び前記付随情報の表示を継続することを特徴とする。
【００１７】
前記制御部は、タッチホイール、タッチパッド、タッチスクリーン、ジョグダイヤル、ジョグシャトル、キーパッドのいずれか１以上による操作入力に応じても動作することを特徴とする。
【００１８】
当移動通信端末機に、端末機姿勢の変化を検出するためのセンサをさらに含むことができ、前記制御部は、該センサに応じて、前記第１及び第２のディスプレイにおける表示画面の向きを制御することを特徴とする。あるいは前記制御部は、ユーザによる所定の操作に応じて、前記第１及び第２のディスプレイにおける表示画面の向きを変更することを特徴とする。あるいはまた、前記制御部は、前記外部制御装置が接続されたときに、前記第１及び第２のディスプレイにおける表示画面の向きを変更することを特徴とする。
【００１９】
また他に、本発明によれば、それぞれがディスプレイを備えると共に相対的に開閉動作することができるようにされた第１及び第２の筐体を有し、該第１及び第２の筐体を開いた状態で前記両ディスプレイが露出し且つ閉じた状態で前記ディスプレイの一方又は両方が隠れるように構成された移動通信端末機において、マルチメディアデータを記憶するメモリと、前記ディスプレイの一方又は両方にマルチメディアの再生画面を表示すると共に前記ディスプレイの一方又は両方に該マルチメディアの付随情報を表示し、さらに、当該マルチメディアの操作用表示の割り込みを所定の方式で実行する制御部と、を含んで構成することを特徴とする。
【００２０】
前記制御部は、前記マルチメディアの操作用表示を前記ディスプレイの少なくとも一方で一時的に実行するか、又は、前記両ディスプレイには表示せずに外部制御装置で実行させることができる。その外部制御装置は、ヒンジ接続された前記第１及び第２の筐体をほぼ１８０°に開いて据え置くことのできるクレードルであることを特徴とする。
【００２１】
当移動通信端末機は、前記第１及び第２の筐体の姿勢変化を感知するセンサをさらに含むことができる。また、ユーザによる画面表示切り換え操作用のボタンを、前記第１及び第２の筐体のいずれか又は両方に備えるか、あるいは、前記ディスプレイのいずれか又は両方におけるタッチスクリーンとして備えることを特徴とする。前記制御部は、前記センサに応じて、又は、前記ボタン操作に応じて、前記ディスプレイにおける表示画面の向きを制御することを特徴とする。
【００２２】
前記制御部は、前記マルチメディアの操作用表示を、前記ディスプレイの一方において所定の時間だけ実行することができる。この場合の前記制御部は、前記所定の時間内に、前記マルチメディアの操作用表示を介した入力があれば、当該マルチメディアの操作用表示を継続することを特徴とする。少なくとも前記マルチメディアの操作用表示を行う前記一方のディスプレイは、タッチ入力可能となっていることを特徴とする。
【００２３】
前記クレードルは、電源供給部と、マルチメディアの再生に関する命令を入力するための端末機操作部と、端末機インタフェース端子に接続して前記電源供給部による電源及び前記端末機操作部の信号を伝送するインタフェース部と、を含むことを特徴とする。前記制御部は、前記マルチメディアの操作用表示を前記ディスプレイの少なくとも一方で一時的に実行し、当該表示実行中に、前記クレードルを通した操作入力が所定の時間無ければ、前記両ディスプレイを利用して前記再生画面を拡張表示することができる。
【００２４】
また他に、本発明に係る移動通信端末機のマルチメディア表示方法は、第１及び第２のディスプレイの少なくとも一つにマルチメディアの再生画面を表示する過程と、前記第１及び第２のディスプレイの少なくとも一つに当該マルチメディアの付随情報を表示する過程と、当該マルチメディアの操作用表示の割り込みを所定の方式で実行し、前記第１及び第２のディスプレイの少なくとも一つに前記操作用表示を行う過程と、これらの表示方式に複数のオプションを提供する過程と、を実行することを特徴とする。
【００２５】
前記複数のオプションは、前記第１のディスプレイに前記再生画面を表示すると共に前記第２のディスプレイに前記付随情報を表示するオプション、前記第１及び第２のディスプレイのそれぞれに、前記再生画面を表示するか、又は、前記付随情報を表示するオプション、前記第１及び第２のディスプレイの両方に前記再生画面を拡張表示するオプション、イベント発生時に前記第１及び第２のディスプレイの少なくとも一つに当該イベントのインジケータを表示するオプション、を含むことを特徴とする。
【００２６】
前記第１のディスプレイに前記再生画面を表示すると共に前記第２のディスプレイに前記操作用表示を行うオプションをさらに含むこともできる。この場合、前記第２のディスプレイに前記操作用表示を行った後、ユーザによる操作入力が所定の時間無い場合に、前記操作用表示を中止して、前記再生画面を前記第１及び第２のディスプレイに拡張表示することを特徴とする。
【００２７】
前記操作用表示としてグラフィカルユーザインタフェース（ＧＵＩ）を表示し、該ＧＵＩを通した操作入力が所定時間無い場合、当該ＧＵＩを表示していたディスプレイに前記再生画面又は前記付随情報を表示するオプションをさらに含むこともできる。
【００２８】
接続された外部制御装置から電源供給を受けると共に当該外部制御装置からマルチメディアの操作命令を受け付け、該外部制御装置と連動して前記マルチメディアの操作用表示を所定の割り込み方式で実行し、前記第１及び第２のディスプレイの少なくとも一つに前記操作用表示を行う過程をさらに実行することもできる。
【００２９】
端末機姿勢の変化を感知し、該姿勢変化に応じて、前記第１及び第２のディスプレイにおける表示画面の向きを制御する過程をさらに実行することもできる。あるいは、ユーザによる所定の操作に応じて、前記第１及び第２のディスプレイにおける表示画面の向きを制御する過程をさらに実行することもできる。また、外部制御装置が接続されたときに、前記第１及び第２のディスプレイにおける表示画面の向きを変更する過程をさらに実行することもできる。
【００３０】
前記イベントのインジケータを表示するオプションは、イベント発生時に前記第１及び第２のディスプレイの少なくとも一つに当該イベントのインジケータを一時的に表示することを特徴とする。前記イベントは、着信呼、電子メール、文字メッセージ、マルチメディアメッセージングサービス、プッシュツートークのいずれかであり得る。前記イベント発生時には、触覚、聴覚、視覚及びこれらの組み合わせのいずれかを加えてユーザに報知することができる。
【００３１】
イベント発生時に前記第１及び第２のディスプレイの少なくとも一つに当該イベントのインジケータを表示するオプションを実行する過程と、該表示に応じて当該イベントの実行操作があった場合に、該イベントのタスク画面を前記第１及び第２のディスプレイの少なくとも一つに表示する過程と、をさらに実行することができる。前記イベントのタスク画面を表示した後、ユーザによる操作入力が所定の時間無い場合、前記タスク画面の表示を中止して、前記再生画面を前記第１及び第２のディスプレイに拡張表示することもできる。
【００３２】
前記付随情報は、再生時間、マルチメディアのタイムスタンプ及びマルチメディアの作成元情報を含むことを特徴とする。
【００３３】
また他に、本発明によれば、マルチメディアデータを記憶可能なメモリと、互いに開閉可能で且つ開いたときに同じ方向に露呈する第１及び第２のディスプレイと、を備えた移動通信端末機において、マルチメディアの再生画面及び該マルチメディアの関連情報を前記第１及び第２のディスプレイに同時表示する制御、マルチメディアの再生画面を前記第１及び第２のディスプレイの両方に表示する制御、前記再生画面を表示中にイベントが発生すると、前記第１及び第２のディスプレイの少なくとも一つに、当該イベントのインジケータを表示する制御、を実行する制御部を含んで構成することを特徴とする。
【００３４】
また他に、本発明によれば、マルチメディアデータを記憶可能なメモリと、互いに開閉可能で且つ開いたときに同じ方向に露呈する第１及び第２のディスプレイと、を備えた移動通信端末機において、マルチメディアに係る画面を前記第１及び第２のディスプレイに表示する過程と、前記マルチメディアに係る画面を表示中にイベントが発生した場合、前記第１及び第２のディスプレイの少なくとも一つに当該イベントのインジケータを表示する過程と、を実行する制御部を含んで構成することを特徴とする。
【００３５】
前記制御部は、前記マルチメディアに係る画面を、ポートレートビューとランドスケープビューとに切り換え表示する過程をさらに実行可能である。
【００３６】
前記制御部は、前記イベントのインジケータを、前記第１のディスプレイ中に表示した後、前記第２のディスプレイへ移動するように表示することを特徴とする。
【００３７】
前記イベントは、着信呼、電子メール、文字メッセージ、マルチメディアメッセージングサービス、プッシュツートークのいずれかであり得る。前記制御部は、前記イベントの発生を、触覚、聴覚、視覚及びこれらの組み合わせのいずれかを加えてユーザに報知することを特徴とする。
【００３８】
前記第１及び第２のディスプレイの少なくとも一つにタッチスクリーンの機能をもたせ、該タッチスクリーン付きのディスプレイにおいて前記イベントのインジケータに対するタッチが感知されると、前記制御部は、当該イベントのタスク画面を前記第１及び第２のディスプレイの少なくとも一つに表示する過程を実行することができる。この場合の前記制御部は、前記タスク画面を表示した後、ユーザによる操作入力が所定の時間無い場合、前記タスク画面の表示を中止し、前記第１及び第２のディスプレイに前記マルチメディアに係る画面を拡張表示する過程を実行することを特徴とする。
【発明の効果】
【００３９】
本発明は、２以上のディスプレイを備えた移動通信端末機におけるマルチ画面表示のためのユーザインタフェースに関し、２つ以上の作業（タスク）を同時に行う場合、複数のディスプレイを相互に連動させて画面表示方向を切り換え得ることで、ユーザの利便性を向上し得るという効果がある。
【００４０】
また、本発明は、複数のディスプレイを備えた移動通信端末機で所定の作業を行っている途中に、新しいイベントが発生した場合、現在行っている作業に影響を与えることなく、ユーザにイベントの発生を認知させることで、マルチタスク時のユーザの利便性を向上し得るという効果がある。
【００４１】
さらに、本発明によれば、ユーザが持ち方を変えて、端末機を縦から横に、又はその逆に回転させたとしても、当該端末機のディスプレイは、その姿勢変化に応じて適宜画面表示の向きを切り換え、ユーザに適した向きの画面を提供し得るため、ユーザは、端末機を回転させるだけで多様な画面比率の映像を鑑賞し得るという効果がある。
【００４２】
また、本発明によれば、２つ以上のディスプレイを有する移動通信端末機で、全部のディスプレイを利用してマルチメディアコンテンツを鑑賞し得るという効果がある。
【００４３】
また、本発明によれば、移動通信端末機を電源供給可能なクレードルに装着した後、クレードルに形成された端末機の操作部により容易にマルチメディアコンテンツの再生操作を行い得るため、電池切れの心配なく、便利にマルチメディアコンテンツを鑑賞し得るという効果がある。
【発明を実施するための最良の形態】
【００４４】
以下、図面を参照して本発明の好ましい実施形態について説明する。
【００４５】
本発明は、ＰＤＡ、ノートブックや超小型ＰＣ（ＵＭＰＣ）、携帯電話、スマートフォン、ゲーム機などの多様な種類の移動通信端末機に適用することができる。以下では、説明の便宜のために、２つのディスプレイ（デュアルディスプレイ）を有する携帯電話などの折り畳み型移動通信端末機に本発明を適用した場合を例に説明するが、本発明はデュアルディスプレイに限らず、それ以上のディスプレイを有する端末機にも適用することができる。すなわち本発明は、以下の実現形態に限定されるものではない。
【００４６】
第１実施形態
【００４７】
図１〜図１１を参照して本発明に係る移動通信端末機の第１実施形態について説明する。まず、図１及び図２を参照して移動通信端末機の構成について説明する。
【００４８】
図１は、デュアルディスプレイを備えた移動通信端末機１００の構成を示すブロック図であり、当該移動通信端末機１００は、従来同様の構成として、キーパッドやサイドキーなどのキー入力を検出するキー入力部１０４と、アンテナを介して受信される無線信号から音声や画像などの情報を抽出する無線通信部１０２と、話者の音声をマイクでひろい、また通話音声や音楽等をスピーカから入出力するオーディオ入出力部１０１と、撮像用のカメラ部１０３と、を備え、制御部１１０により統括制御される。
【００４９】
当該移動通信端末機１００が所属する通信網は、ＷｉＦｉ、ＷＬＡＮ、ＷｉＢｒｏ、ＷｉＭＡＸ、ＢＲＥＷ、３Ｇなどの各種ネットワークである。
【００５０】
このような内部構成の移動通信端末機１００は、外形的には、図２に示すように、第１ディスプレイ部１０５を備える第１筐体１３と、第２ディスプレイ部１０６を備え、側面に外部入出力用のインタフェース端子１５５が形成されている（ヒンジ部１７に形成でもよい）第２筐体１５と、これら第１筐体１３及び第２筐体１５を折り畳み式に連結するヒンジ部１７と、を含んで構成されている。ただし、折り畳み式の端末機に限定されるものではなく、ストレートタイプ、スライドタイプ、２軸回転タイプなどの様々なタイプを適用可能である。
【００５１】
ヒンジ部１７は、第１筐体１３と第２筐体１５が開いたとき、実質的に１８０°（見た目程度で良い）まで開き得るように構成されることが好ましい。これは、第１ディスプレイ部１０５及び第２ディスプレイ部１０６が一体となって表示動作する場合（たとえば一つのテレビ放送画面を両者にまたがって表示するような場合）、ユーザが当該ディスプレイ部１０５，１０６を見た感じが全体的に平面となり得るようにするためである。
【００５２】
入力部１０４、回転検出部（回転センサ、位置センサ）１０８、インタフェース部１５０、メモリ部１０７、制御部１１０は、第１筐体１３と第２筐体１５のどちらに構成されてもよい。
【００５３】
インタフェース部１５０は、外部入出力用のインタフェース端子１５５を介して移動通信端末機１００と外部機器との電気的接続を得る役割を担う。特に、インタフェース部１５０は、移動通信端末機１００を、後述の移動通信端末機用クレードルに接続するために使用することができる（後述の第２実施形態で説明）。あるいは、インタフェース部１５０は、マルチメディア再生時に、インタフェース端子１５５を介してオーディオ出力装置（ヘッドホンやスピーカなど）を接続することもできる。
【００５４】
メモリ部１０７は、移動通信端末機１００において使用されるプログラムや各種データを記憶し、マルチメディアのデータもここに記憶される。このようなメモリ部１０７は、内蔵のものでも、リムーバブル式のものでも良い。制御部１１０は、前述した各構成要素を含む端末機全体を制御する。特に、後述するように、各ディスプレイ部１０５、１０６がマルチメディアに係る画面を表示し得るように制御する。また、本例の制御部１１０は、マルチメディアを処理（デコード、暗号処理等）して再生し得るマルチメディア処理部１０９を含む。このマルチメディア処理部１０９は、ハードウエア的に、制御部１１０とは別の構成要素として移動通信端末機内に構成されるか、あるいは、制御部１１０の一部として構成されていてもよい。
【００５５】
本実施形態の移動通信端末機１００には、以上の構成要素以外にも各種構成要素（例えば、ＤＭＢ又はＤＶＢ−Ｈ放送受信モジュールなど）が存在し得るが、これらの構成要素は、本発明の説明に直接的に関連しないので、説明の便宜上省略する。
【００５６】
主要な各構成要素についてより詳細に説明すると、第１ディスプレイ部１０５及び第２ディスプレイ部１０６は、端末機の使用に係る各種画面（待受画面やアプリ画面、メール画面など）、マルチメディアに係る画面を表示可能である。これらディスプレイ部１０５，１０６は、メニュー及び動作状態の表示並びに入力手段として使用可能で、たとえば、第１ディスプレイ部１０５が端末機１００の動作及び各種機能実行による画面を表示し、第２ディスプレイ部１０６が表示機能に加えてキーパッド機能も実行可能とされる。第１ディスプレイ部及び第２ディスプレイ部は、その役割を変えることができ、状況に応じて同一の役割を果たすこともできる。
【００５７】
第１ディスプレイ部１０５及び第２ディスプレイ部１０６は、ハードウェア的に分離されているもの、あるいは、一つのディスプレイ中で領域区分することにより構成することもできる。すなわち、ハード的にに分離された２つの表示手段から構成するか、又は、１つの表示手段を２以上の領域に区分して使用し得る。そして、そのうち少なくとも１つには、タッチスクリーン（第１タッチスクリーン１０５ａ、第２タッチスクリーン１０６ａ）を備え、キー入力機能を実行し得るようにする。
【００５８】
制御部１１０は、端末機１００の動作を制御するものであり、本実施形態においては、モードに応じて、第１ディスプレイ部１０５及び第２ディスプレイ部１０６の表示を制御し、タスク（作業）実行中に新たにイベントが発生した場合、そのイベント処理のためにマルチ画面表示を実行し、また、端末機１００の姿勢に応じて、ディスプレイ１０５，１０６において横向きや縦向きに画面表示の切り換え制御を実行する。さらに、処理中の作業（タスク）に応じて、一方のディスプレイ部には処理画面を表示し、他方のディスプレイ部には当該作業を制御するための制御画面を表示するように制御する。
【００５９】
メモリ部１０７は、デュアルディスプレイ１０５，１０６を利用したマルチ画面表示のための各種データやアルゴリズム等を記憶する。たとえば、イベント発生を通知するインジケータ情報、端末機１００の姿勢検出、画面の切り換えのためのアルゴリズム、マルチメディアのデータである。
【００６０】
移動通信端末機１００の横向き、縦向きなどの姿勢を検出する回転検出部（姿勢検出部）１０８は、位置センサや地磁気センサなどを利用したもので、端末機１００が横向きになっているか縦向きになっているか、あるいは、横向きから縦向きへの回転、縦向きから横向きへの回転を検出し、その検出結果に応じて制御部１１０が、ディスプレイにおいて横向きに画面を表示するか又は縦向きに画面を表示するか制御できるようにする。
【００６１】
キー入力部１０４は、タッチスクリーンにより構成されたキーパッドとすることが可能で、一例として画面の拡大／縮小命令を入力することができ、これに応じる制御部１１０は、第１ディスプレイ部１０５に出力中の画面を第２ディスプレイ部１０６まで拡張して表示したり、又は逆に、両ディスプレイ部１０５，１０６に拡張表示していた画面を一方のディスプレイ部のみに縮小して表示する。キー入力部１０４は、タッチホイール、タッチパッド、ジョグダイヤル、ジョグシャトル、キーパッド（これに限定されるものではない）のいずれかを含むものであり、タッチスクリーンと併用したものとすることもできる。以下、本例のキー入力部１０４が第１ディスプレイ部１０５又は第２ディスプレイ部１０６に設けられたタッチスクリーンを利用したものとして説明を続ける。
【００６２】
以上のように構成された移動通信端末機１００により実行されるマルチメディア表示方法について図３以降を参照して説明する。
【００６３】
図３Ａ及び図３Ｂは、マルチメディア再生時のマルチ画面表示の例を示す図である。説明の便宜上、音楽の再生方法を中心に説明するが、動画（放送を含む）、音楽、静止画などのマルチメディアファイル全てに適用し得る。
【００６４】
まず、例えば、ディスプレイ部１０５，１０６には、マルチメディアの操作情報（例えば、「再生」、「停止」、「録画」、「録音」、「消去」、「以前の曲」などを示す各種アイコン）及びマルチメディアの付随情報（例えば、ＭＰ３ファイルの場合には、曲のタイトル、歌手名、歌詞など、ＭＰＥＧ２等の動画ファイルの場合には、映像タイトル、字幕など、マルチメディアの属性を示すテキスト等の情報）が表示される（これら操作情報及び付随情報を含めて関連情報というものとする）。
【００６５】
図３Ａは音楽の選択画面であり、図３Ｂは選択した音楽の再生画面であり、同図では、端末機１００を縦向きに使用しているため、ディスプレイ部１０５，１０６において画面は縦向きに表示されている。
【００６６】
図３Ａにおいて、第１ディスプレイ部１０５には音楽のリストを表示し、第２ディスプレイ部１０６には、音楽を選択するための制御ボタンを表示している。すなわち、待受時に第２ディスプレイ部１０６に表示している通話関連ボタン（オフフック／オンフック／クリア／数字ボタンなど）に代わって、音楽の選択制御ボタン（上／下スクロールボタン、フォルダ移動ボタン、再生ボタンなど）を表示しており、当該第２ディスプレイ部１０６においてクリックがあったとき（ボタン部分が押されたとき）に、該当ボタンの色や大きさを変化させたり、該当ボタンに応じた音や振動を発生させたりし、ユーザに操作感を与えるようにする。
【００６７】
上／下スクロールボタン２０１は、第１ディスプレイ部１０５に表示している音楽リスト上でカーソルを上／下に移動して所望の曲を選択するためのもの、フォルダ移動ボタン２０２は、音楽がグループ（フォルダ）に分類してある場合、そのフォルダを選択して該当音楽リストを表示するためのものである。再生ボタン２０３は、音楽リストで選択された音楽の再生を指示するためのものである。ユーザにより再生ボタン２０３が操作された場合、図３Ｂに示す画面に切り換わる。
【００６８】
図３Ｂにおいて、第１ディスプレイ部１０５には、再生中音楽の付随情報（タイトル、著作権者、歌手、作曲者、作詞者など）２０４を含むイコライザを表示したメイン画面（マルチメディア再生画面）が表示されている。また、第２ディスプレイ部１０６には、再生中音楽の歌詞２０５や再生時間（再生時間全体のうち現在の再生時間等）などの付随情報、及び制御画面（停止、一時停止、以前の曲、次の曲、リストなどの操作ボタン類）２０６等、を含んだサブ画面（マルチメディア関連情報画面）が表示される。
【００６９】
再生対象となったマルチメディアファイルが放送等の動画である場合、メイン画面を表示する第１ディスプレイ部１０５には動画が画面表示され（マルチメディア再生）、サブ画面を表示する第２ディスプレイ部１０６には、その動画を制御するための各ボタン（チャネル選択、音量調節など）が表示される（関連情報表示）。
【００７０】
ここで、ユーザによる画面切り換え指示があったり、回転検出部１０８による感知で、端末機姿勢の変更（回転）が認識されると、縦向き表示（ポートレートビュー）していた画面を図４に示すように横向き表示（ランドスケープビュー）に切り換える。この場合、第１ディスプレイ部１０５及び第２ディスプレイ部１０６の各表示画面は、同じ向きに連動して切り換わる。ユーザによる画面切り換え指示は、画面切り換えファンクションを割り付けたボタンの操作とすることが可能で、たとえば、当該ボタンの操作回数や操作持続時間に応じて画面切り換え実行とすることができる。回転検出部１０８による場合は、位置センサや地磁気センサ等により移動通信端末機１００の姿勢変化を検出することで、端末機姿勢が変わったときに自動的に実行される。
【００７１】
画面表示切り換え操作のボタンは、サイドキーや、タッチスクリーンの表示ボタン（アイコン等）とすることができる。そして、図４及び図５に示すように、端末機１００の姿勢変化に応じて、ディスプレイ部１０５，１０６に表示するマルチメディアに係る画面を９０゜又は−９０゜回転させ、場合によっては、該マルチメディアに係る画面の表示を、ディスプレイ部１０５，１０６間で互いに入れ替えて表示することができる。すなわち、端末機１００を、縦向きから左右何れの向きに回転させたとしても、ユーザから見て左側のディスプレイ部にイコライザ、動画などのメイン画面を表示し、右側のディスプレイ部に制御ボタンや歌詞などのサブ画面を表示するようにする。メイン画面とサブ画面の配置関係は、ユーザの便宜（左利き、右利きなど）に応じ、メニューのオプション設定で左右を適宜換えられるようにする。
【００７２】
第２ディスプレイ部１０６（あるいは第１ディスプレイ部１０５）に表示する制御ボタンなどのサブ画面は、マルチメディア再生開始後に表示不要となることが多い。そこで、本例においては、たとえば再生開始後、サブ画面を通した操作（入力）が所定の時間なければ、サブ画面を消して（表示中止して）メイン画面を第１ディスプレイ部１０５及び第２ディスプレイ部１０６の両方に拡張表示するようにしている。図６及び図7に示すように、第１ディスプレイ部１０５の画面を第２ディスプレイ部１０６まで拡張表示することで、視覚効果を高めることができる。
【００７３】
二つのディスプレイ部１０５，１０６に拡張表示する画面は、第１ディスプレイ部１０５に表示していたメイン画面を拡大表示した画面、画面サイズの制約により第１ディスプレイ部１０５では中心部分だけ表示していた画面全体をそれまで見えなかった部分を含めて表示した画面とすることができる。
【００７４】
また、付随情報（タイトル、著作権者、歌手、作曲者、作詞者など）２０４に関しては、単純に字の大きさを拡大するのでも良いが、図６に示すように、当該情報を表示する領域を第２ディスプレイ部１０６まで拡張し、さらに多くの情報を表示するようにしたり、あるいは、図８に示すように、画面拡張後も、付随情報に関しては、第１ディスプレイ部１０５と第２ディスプレイ部１０６とでそれぞれ異なった情報２０４，２０５を表示することもできる。すなわち例えば、第１ディスプレイ部１０５には、再生中マルチメディアのタイトル２０４を表示し、第２ディスプレイ部１０６には、再生時間２０５を表示することができる。
【００７５】
このようにして第１ディスプレイ部１０５及び第２ディスプレイ部１０６の両方で拡張画面表示を行っている最中に、端末機１００の姿勢が変化した場合、あるいは、所定のボタンもしくはタッチスクリーンが操作され、画面切り換え命令（画面の縮小命令）が入力された場合、図９に示すように、自動的に画面表示を縮小する。これによる切り換え後の画面は、端末機１００の姿勢に応じて横向きか縦向きのどちらかで表示する。すなわち、図９に示すように、両ディスプレイ部１０５，１０６に表示していた画面を縮小して（拡張前の状態に戻して）、第１ディスプレイ部１０５にメイン画面、第２ディスプレイ部１０６にサブ画面を表示する。このとき、端末機１００の姿勢が横向きのままであれば画面は横向きのまま、縦向きに回転した場合には画面を縦向きに切り換えて表示する。
【００７６】
図１０Ａ〜図１０Ｄは、マルチメディア再生中にメッセージ（メール）イベントが発生した場合の処理過程を示す画面の図である。説明の便宜上、以下、放送受信等の動画再生中の例で説明する。
【００７７】
図１０Ａのように、第１ディスプレイ部１０５に動画再生のメイン画面を表示し、第２ディスプレイ部１０６に、その動画再生に関わる制御用のサブ画面を表示している状態で、メッセージ受信イベントが発生した場合、第１ディスプレイ部１０５に、メッセージ受信を通知するインジケータ９０１を出力する。該インジケータ９０１は、ユーザに注目されるように最初に表示する時に点滅させることができ、他にもハイライト表示したり、色の変化又は振動により表示することもできる。当該インジケータ９０１は、イベントに関するテキスト、アイコン、イメージ、アバター、静止画等であり、そのイベントは、メッセージ受信イベントとして文字メッセージ（ＳＭＳ）や電子メール、マルチメディアメッセージングサービス（ＭＭＳ）、その他、呼の着信、プッシュツートーク（ＰＴＴ）の呼出など多様なイベントを含む。
【００７８】
このようなインジケータ９０１は、ディスプレイ部１０５，１０６内で移動表示することができる。たとえば図１０Ｂに示すように、第１ディスプレイ部１０５から第２ディスプレイ部１０６へ移動させ、その移動過程で大きさを変化させることができる。当該インジケータ９０１が移動して停止する方のディスプレイ部１０６は、タッチスクリーンを備え、図１０Ｃのように、メッセージ受信を認知したユーザが、第２ディスプレイ部１０６に移動して停止表示されているインジケータ９０１をクリックすれば、第１ディスプレイ部１０５で再生中のメイン画面はそのまま維持し、図１０Ｄのように、第２ディスプレイ部１０６に、メッセージ内容９０２と当該メッセージの送受信に関する制御ボタン９０３とを表示する（当該イベントのタスク画面）。
【００７９】
図１１Ａ〜図１１Ｄは、図１０Ａ〜図１０Ｄ同様のマルチメディア再生中において、メッセージ（メール）を送信する過程を示す画面の図である。図１１Ａ〜図１１Ｄに示すように、第１ディスプレイ部１０５にはマルチメディア再生の画面（メイン画面）を表示し、第２ディスプレイ部１０６にはメッセージ作成と送信作業（タスク）の別タスク画面を表示している。すなわち、マルチタスクを実行可能となっている。
【００８０】
メッセージ作成及び送信作業は、従来のメッセージ処理過程と大きく異なるものではない。すなわち、図１１Ａのように、第２ディスプレイ部１０６にメッセージ内容の入力画面を出力し、図１１Ｂのように、メッセージ内容が入力され、そして送信ボタン（Send）が操作されることで、図１１Ｃ及び図１１Ｄのように、メッセージ送信画面を表示して送信を完了する。
【００８１】
これら、受信メッセージの確認やメッセージ送信のイベント処理が完了すると、第２ディスプレイ部１０６の表示は、以前のサブ画面（動画制御用の画面）に戻す。
【００８２】
第２実施形態
【００８３】
図１２〜図１４を参照して、本発明による移動通信端末機用クレードル（外部制御装置）について説明する。
【００８４】
図１２は、移動通信端末機用クレードルの実施形態を示した斜視図であり、図１３は、移動通信端末機が装着された状態で示した図１２のクレードルの正面図であり、図１４は、図１３に示す移動通信端末機装着中クレードルの概略的なブロック図である。
【００８５】
移動通信端末機用クレードル２００は、電源供給部２１０と、スピーカ部２２０と、端末機操作部（操作パネル）２３０と、インタフェース端子２４０と、ハウジング２５０と、を含んで構成される。
【００８６】
電源供給部２１０は、クレードル２００に装着される移動通信端末機１００に外部電源を供給する。スピーカ部２３０は、移動通信端末機１００がクレードル２００に装着されているときに、移動通信端末機１００からインタフェース端子２４０を介して入力されるオーディオを出力する。端末機操作部２３０は、クレードル２００に装着された移動通信端末機１００をユーザが容易に操作し得るようにする操作パネルである。特に、端末機操作部２３０は、移動通信端末機１００がマルチメディアを再生する場合に、これに関する「再生」、「停止」、「一時停止」などの命令を入力し得るものである。すなわち、移動通信端末機１００に外部電源を供給しながら当該移動通信端末機１００でマルチメディアを視聴する場合、ユーザは、移動通信端末機１００を操作しなくても、クレードル２００の端末機操作部２３０によりマルチメディア再生に関する操作を行なうことができる。
【００８７】
インタフェース端子２４０は、クレードル２００に移動通信端末機１００が装着されると、移動通信端末機１００のインタフェース端子（図２の１５５）と接続し、電源、オーディオ信号（場合によってはビデオ信号も）、端末機操作命令の入出力を担当する。
【００８８】
ハウジング２５０は、クレードル２００の外形を決定するものであり、クレードル２００に移動通信端末機１００を安定して載置し得る据置台の役割を担う。このハウジング２５０は、移動通信端末機１００がクレードル２００に装着されたとき、インタフェース端子２４０と移動通信端末機１００のインタフェース端子１５５とが自然に接続する形状を有することが好ましい。また、ハウジング２５０は、移動通信端末機１００のディスプレイ部１０５，１０６が横向きになって載置される状態となる形状を有することが好ましい。
【００８９】
端末機操作部２３０と連動する制御部１１０は、マルチメディア再生やその他のプログラム（動画再生やメール作成等）を実行している最中に、マルチメディア操作用表示（たとえば制御画面２０６）の割り込みを最小限にする。すなわち、たとえば上述のように、所定の時間、操作入力が無かったときに、マルチメディア再生画面を第１ディスプレイ部１０５及び第２ディスプレイ部１０６の両方に拡張表示する制御を実行する。
【００９０】
本発明の思想及び必須の特徴を逸脱しない範囲で他の形態があり得ることは当業者にとって自明である。例えば、以上の説明においては、マルチメディアの映像がディスプレイ全体に表示される例をあげているが、必要に応じてマルチメディアの関連情報がディスプレイ全体に表示されるものとすることも可能である。また他にも、クレードルを自動車（のインストルメントパネル）に装着可能なハウジングを有する構成とすることもでき、あるいは、スピーカ部以外にもテレビ電話を可能にするビデオ／カメラモジュールを備えた構成とすることもでき、さらには、クレードル内にバッテリを内蔵して移動通信端末機ごとクレードルを携帯可能に構成することもできる。
【００９１】
添付図面を参照して、本発明の実施形態を、本発明が属する技術分野における通常の知識を有する者が容易に実施し得るように詳細に説明した。しかし、本発明は、多様な形態で実現することができ、ここで説明する実施形態に限定されるものではない。
【図面の簡単な説明】
【００９２】
【図１】本発明に係る移動通信端末機の内部構成を概略的に示すブロック図。
【図２】本発明に係る移動通信端末機の外形を示す斜視図。
【図３Ａ】マルチメディア再生時のマルチ画面表示の再生開始前の例を示す図。
【図３Ｂ】マルチメディア再生時のマルチ画面表示の再生開始後の例を示す図。
【図４】マルチメディア再生時のマルチ画面表示の他の例を示す図。
【図５】図４とは１８０゜逆の状態にした移動通信端末機の場合の例を示す図。
【図６】第１ディスプレイ部の画面を第２ディスプレイ部まで拡張して表示する例を説明する図。
【図７】図６同様の例で、付随情報を第２ディスプレイ部まで拡張して表示する例を説明する図。
【図８】図６同様の拡張表示において、第１ディスプレイ部と第２ディスプレイ部とでそれぞれ異なる付随情報を表示する例を説明する図。
【図９】図６〜図８のように拡張表示していたディスプレイ部の表示を、画面縮小命令（画面復帰命令）に応じて、図３Ｂ〜図５のような元の表示へ戻す例を説明する図。
【図１０Ａ】マルチメディア再生中にメッセージ受信イベントが発生した場合の処理過程を示す図。
【図１０Ｂ】図１０Ａに続く過程の図。
【図１０Ｃ】図１０Ｂに続く過程の図。
【図１０Ｄ】図１０Ｃに続く過程の図。
【図１１Ａ】マルチメディア再生中にメッセージ送信イベントを実行する場合の処理過程を示す図。
【図１１Ｂ】図１１Ａに続く過程の図。
【図１１Ｃ】図１１Ｂに続く過程の図。
【図１１Ｄ】図１１Ｃに続く過程の図。
【図１２】本発明に係る移動通信端末機用クレードルの斜視図。
【図１３】移動通信端末機を装着した状態で示す図１２のクレードルの正面図。
【図１４】図１３のクレードルの内部構成を概略的に示すブロック図。
【符号の説明】
【００９３】
１００  移動通信端末機
１０１  オーディオ入出力部
１０２  無線通信部
１０３  カメラ部
１０４  キー入力部
１０５  第１ディスプレイ部
１０５ａ  第１タッチスクリーン
１０６  第２ディスプレイ部
１０６ａ  第２タッチスクリーン
１０７  メモリ部
１０８  回転検出部（姿勢検出部）
１０９  マルチメディア処理部
１１０  制御部
２０１  上／下スクロールボタン 
２０２  フォルダ移動ボタン
２０３  再生ボタン 
２０４，２０５  付随情報（関連情報）
２０６  制御ボタン
２００  クレードル（外部制御装置）
２１０  電源供給部
２２０  スピーカ部
２３０  端末機操作部（操作パネル）
２４０  インタフェース端子（信号端子）
２５０  ハウジング
【図１】
2007109240.tif 000003
【図２】
2007109240.tif 000004
【図３Ａ】
2007109240.tif 000005
【図３Ｂ】
2007109240.tif 000006
【図４】
2007109240.tif 000007
【図５】
2007109240.tif 000008
【図６】
2007109240.tif 000009
【図７】
2007109240.tif 000010
【図８】
2007109240.tif 000011
【図９】
2007109240.tif 000012
【図１０Ａ】
2007109240.tif 000013
【図１０Ｂ】
2007109240.tif 000014
【図１０Ｃ】
2007109240.tif 000015
【図１０Ｄ】
2007109240.tif 000016
【図１１Ａ】
2007109240.tif 000017
【図１１Ｂ】
2007109240.tif 000018
【図１１Ｃ】
2007109240.tif 000019
【図１１Ｄ】
2007109240.tif 000020
【図１２】
2007109240.tif 000021
【図１３】
2007109240.tif 000022
【図１４】
2007109240.tif 000023